【手続補正書】
【提出日】平成24年1月6日(2012.1.6)
【手続補正１】
【補正対象書類名】明細書
【補正対象項目名】００１０
【補正方法】変更
【補正の内容】
【００１０】
上記目的を達成するために、本発明の画像形成装置は、走行方向に所定の間隔で複数の基準マークが形成されたベルトと、走行する前記ベルトの前記基準マークを所定の時間ごとに検出するマーク検出手段と、該マーク検出手段が前記基準マークを検出するごとに前記ベルトの幅方向のエッジ位置を検出するエッジ検出手段と、前記ベルトの幅方向のエッジ形状データを複数の前記基準マークの位置に対応させて記憶部に記憶する記憶手段と、前記記憶部に記憶された前記ベルトのエッジ形状データと前記エッジ検出手段により検出された前記ベルトのエッジ位置とに基づいて、該ベルトの蛇行を補正制御する補正制御手段と、前記エッジ検出手段により検出される前記エッジ位置のデータの最大値と最小値との中心値を前記マーク検出手段により検出される複数の前記基準マークの中心値とし、前記基準マークの中心値と、前記記憶部に記憶された前記エッジ形状データの最大値と最小値との中心値とが同じになるように処理して、処理後の前記エッジ形状データを前記記憶部に記憶させる制御手段と、を備えることを特徴とする。
【手続補正２】
【補正対象書類名】明細書
【補正対象項目名】００１１
【補正方法】変更
【補正の内容】
【００１１】
本発明の画像形成装置は、走行方向に所定の間隔で複数の基準マークが形成されたベルトと、走行する前記ベルトの前記基準マークを所定の時間ごとに検出するマーク検出手段と、該マーク検出手段が前記基準マークを検出するごとに前記ベルトの幅方向のエッジ位置を検出するエッジ検出手段と、前記ベルトの幅方向のエッジ形状データを複数の前記基準マークの位置に対応させて記憶部に記憶する記憶手段と、前記記憶部に記憶された前記ベルトのエッジ形状データと前記エッジ検出手段により検出された前記ベルトのエッジ位置とに基づいて、該ベルトの蛇行を補正制御する補正制御手段と、前記エッジ検出手段により検出される前記エッジ位置のデータの平均値を前記マーク検出手段により検出される複数の前記基準マークの平均値とし、前記基準マークの平均値と、前記記憶部に記憶された前記エッジ形状データの平均値とが同じになるように処理して、処理後の前記エッジ形状データを前記記憶部に記憶させる制御手段と、を備えることを特徴とする。
【手続補正３】
【補正対象書類名】明細書
【補正対象項目名】００１２
【補正方法】変更
【補正の内容】
【００１２】
本発明の画像形成装置の制御方法は、走行方向に所定の間隔で複数の基準マークが形成されたベルトを備える画像形成装置の制御方法であって、走行する前記ベルトの前記基準マークを所定の時間ごとに検出するマーク検出ステップと、該マーク検出ステップで前記基準マークを検出するごとに前記ベルトの幅方向のエッジ位置を検出するエッジ検出ステップと、前記ベルトの幅方向のエッジ形状データを複数の前記基準マークの位置に対応させて記憶部に記憶する記憶ステップと、前記記憶ステップで記憶された前記ベルトのエッジ形状データと前記エッジ検出ステップで検出された前記ベルトのエッジ位置とに基づいて、該ベルトの蛇行を補正制御する補正制御ステップと、前記エッジ検出ステップで検出される前記エッジ位置のデータの最大値と最小値との中心値を前記マーク検出ステップで検出される複数の前記基準マークの中心値とし、前記基準マークの中心値と、前記記憶部に記憶された前記エッジ形状データの最大値と最小値との中心値とが同じになるように処理して、処理後の前記エッジ形状データを前記記憶部に記憶させる制御ステップと、を備えることを特徴とする。
【手続補正４】
【補正対象書類名】明細書
【補正対象項目名】００１３
【補正方法】変更
【補正の内容】
【００１３】
本発明の画像形成装置の制御方法は、走行方向に所定の間隔で複数の基準マークが形成されたベルトを備える画像形成装置の制御方法であって、走行する前記ベルトの前記基準マークを所定の時間ごとに検出するマーク検出ステップと、該マーク検出ステップで前記基準マークを検出するごとに前記ベルトの幅方向のエッジ位置を検出するエッジ検出ステップと、前記ベルトの幅方向のエッジ形状データを複数の前記基準マークの位置に対応させて記憶部に記憶する記憶ステップと、前記記憶ステップで記憶された前記ベルトのエッジ形状データと前記エッジ検出ステップで検出された前記ベルトのエッジ位置とに基づいて、該ベルトの蛇行を補正制御する補正制御ステップと、前記エッジ検出ステップで検出される前記エッジ位置のデータの平均値を前記マーク検出ステップで検出される複数の前記基準マークの平均値とし、前記基準マークの平均値と、前記記憶部に記憶された前記エッジ形状データの平均値とが同じになるように処理して、処理後の前記エッジ形状データを前記記憶部に記憶させる制御ステップと、を備えることを特徴とする。
【手続補正５】
【補正対象書類名】特許請求の範囲
【補正対象項目名】全文
【補正方法】変更
【補正の内容】
【特許請求の範囲】
【請求項１】
走行方向に所定の間隔で複数の基準マークが形成されたベルトと、
走行する前記ベルトの前記基準マークを所定の時間ごとに検出するマーク検出手段と、
該マーク検出手段が前記基準マークを検出するごとに前記ベルトの幅方向のエッジ位置を検出するエッジ検出手段と、
前記ベルトの幅方向のエッジ形状データを複数の前記基準マークの位置に対応させて記憶部に記憶する記憶手段と、
前記記憶部に記憶された前記ベルトのエッジ形状データと前記エッジ検出手段により検出された前記ベルトのエッジ位置とに基づいて、該ベルトの蛇行を補正制御する補正制御手段と、
前記エッジ検出手段により検出される前記エッジ位置のデータの最大値と最小値との中心値を前記マーク検出手段により検出される複数の前記基準マークの中心値とし、前記基準マークの中心値と、前記記憶部に記憶された前記エッジ形状データの最大値と最小値との中心値とが同じになるように処理して、処理後の前記エッジ形状データを前記記憶部に記憶させる制御手段と、を備えることを特徴とする画像形成装置。
【請求項２】
走行方向に所定の間隔で複数の基準マークが形成されたベルトと、
走行する前記ベルトの前記基準マークを所定の時間ごとに検出するマーク検出手段と、  該マーク検出手段が前記基準マークを検出するごとに前記ベルトの幅方向のエッジ位置を検出するエッジ検出手段と、
前記ベルトの幅方向のエッジ形状データを複数の前記基準マークの位置に対応させて記憶部に記憶する記憶手段と、
前記記憶部に記憶された前記ベルトのエッジ形状データと前記エッジ検出手段により検出された前記ベルトのエッジ位置とに基づいて、該ベルトの蛇行を補正制御する補正制御手段と、
前記エッジ検出手段により検出される前記エッジ位置のデータの平均値を前記マーク検出手段により検出される複数の前記基準マークの平均値とし、前記基準マークの平均値と、前記記憶部に記憶された前記エッジ形状データの平均値とが同じになるように処理して、処理後の前記エッジ形状データを前記記憶部に記憶させる制御手段と、を備えることを特徴とする画像形成装置。
【請求項３】
走行方向に所定の間隔で複数の基準マークが形成されたベルトを備える画像形成装置の制御方法であって、
走行する前記ベルトの前記基準マークを所定の時間ごとに検出するマーク検出ステップと、
該マーク検出ステップで前記基準マークを検出するごとに前記ベルトの幅方向のエッジ位置を検出するエッジ検出ステップと、
前記ベルトの幅方向のエッジ形状データを複数の前記基準マークの位置に対応させて記憶部に記憶する記憶ステップと、
前記記憶ステップで記憶された前記ベルトのエッジ形状データと前記エッジ検出ステップで検出された前記ベルトのエッジ位置とに基づいて、該ベルトの蛇行を補正制御する補正制御ステップと、
前記エッジ検出ステップで検出される前記エッジ位置のデータの最大値と最小値との中心値を前記マーク検出ステップで検出される複数の前記基準マークの中心値とし、前記基準マークの中心値と、前記記憶部に記憶された前記エッジ形状データの最大値と最小値との中心値とが同じになるように処理して、処理後の前記エッジ形状データを前記記憶部に記憶させる制御ステップと、を備えることを特徴とする画像形成装置の制御方法。
【請求項４】
走行方向に所定の間隔で複数の基準マークが形成されたベルトを備える画像形成装置の制御方法であって、
走行する前記ベルトの前記基準マークを所定の時間ごとに検出するマーク検出ステップと、
該マーク検出ステップで前記基準マークを検出するごとに前記ベルトの幅方向のエッジ位置を検出するエッジ検出ステップと、
前記ベルトの幅方向のエッジ形状データを複数の前記基準マークの位置に対応させて記憶部に記憶する記憶ステップと、
前記記憶ステップで記憶された前記ベルトのエッジ形状データと前記エッジ検出ステップで検出された前記ベルトのエッジ位置とに基づいて、該ベルトの蛇行を補正制御する補正制御ステップと、
前記エッジ検出ステップで検出される前記エッジ位置のデータの平均値を前記マーク検出ステップで検出される複数の前記基準マークの平均値とし、前記基準マークの平均値と、前記記憶部に記憶された前記エッジ形状データの平均値とが同じになるように処理して、処理後の前記エッジ形状データを前記記憶部に記憶させる制御ステップと、を備えることを特徴とする画像形成装置の制御方法。